【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
図面に対応する画像を出力装置に出力させる出力システムであって、
前記図面における所定の領域に対応する画像が出力される出力領域のサイズを設定する設定手段と、
出力装置に、前記図面における前記所定の領域に対応する前記画像を、前記設定手段により設定されたサイズに対応する出力領域へ出力させる出力制御手段と、を有し、
前記出力制御手段は、前記図面の前記所定の領域の内容を含む第１の画像を、前記設定手段により設定された第１のサイズに対応する出力領域に出力させ、前記設定手段により前記第１のサイズよりも大きな第２のサイズが設定された場合に、前記図面における出力対象の領域が前記所定の領域から変更されておらず且つ前記第１の画像には含まれていない前記内容の詳細を含む第２の画像を、前記第２のサイズに対応する出力領域に出力させることを特徴とする出力システム。
【請求項２】
前記図面に対応する図面データをメモリから取得する取得手段を有し、
前記出力制御手段は、前記取得手段により取得された図面データに基づく図面を前記出力装置に出力させることを特徴とする請求項１に記載の出力システム。
【請求項３】
前記出力制御手段は、前記メモリに記憶されている前記第１の画像に対応する第１の図面データと前記第２の画像に対応する第２の図面データのうちの、前記設定手段により設定されたサイズに応じた図面データを取得し、当該取得された図面データに基づく画像を前記出力装置に出力させることを特徴とする請求項２に記載の出力システム。
【請求項４】
前記メモリは、前記設定手段と前記出力制御手段を備える装置とは異なる装置が備えるメモリであることを特徴とする請求項２または３に記載の出力システム。
【請求項５】
前記メモリは、インターネット上の記憶装置であることを特徴とする請求項４に記載の出力システム。
【請求項６】
前記設定手段により設定されたサイズに応じて図面の縮尺を決定する決定手段と、
前記出力制御手段は、前記決定手段により決定された縮尺に対応する図面を前記出力装置に出力させることを特徴とする請求項１乃至５のいずれか１項に記載の出力システム。
【請求項７】
前記決定手段は、前記設定手段により設定される前記出力領域のサイズがユーザの指示に応じて変更されたときに、当該変更前後のそれぞれに対応する出力領域のサイズに基づき、当該変更後の出力領域に対応する縮尺を決定することを特徴とする請求項６に記載の出力システム。
【請求項８】
前記出力制御手段は、前記図面の前記所定の領域に対応する前記画像を、前記出力装置としての印刷装置に印刷媒体へ印刷させることを特徴とする請求項１乃至７のいずれか１項に記載の出力システム。
【請求項９】
前記設定手段は、前記画像が前記印刷装置により印刷される印刷領域のサイズに対応するサイズを設定することを特徴とする請求項８に記載の出力システム。
【請求項１０】
前記設定手段は、ユーザによる用紙サイズの指示に応じて、当該用紙サイズに対応するサイズを設定することを特徴とする請求項９に記載の出力システム。
【請求項１１】
前記出力制御手段は、前記設定手段により設定されたサイズに基づいて、前記画像の印刷プレビューを前記出力装置としての表示装置に表示させることを特徴とする請求項１０に記載の出力システム。
【請求項１２】
前記出力制御手段は、前記第１のサイズに対応する第１の用紙サイズと前記第２のサイズに対応する第２の用紙サイズのアスペクト比が同じ場合に、前記設定手段により前記第１の用紙サイズに対応するサイズが設定された場合と前記第２の用紙サイズが設定された場合とにおいて前記表示装置に表示される前記印刷プレビューの大きさを変更しないことを特徴とする請求項１１に記載の出力システム。
【請求項１３】
前記表示装置により表示された前記印刷プレビューに対するユーザの指示に応じて、前記印刷プレビュー上において前記画像を変倍する変倍手段を有し、
前記設定手段は、前記変倍手段により変倍された前記画像のサイズに対応するサイズを、前記出力領域に対応するサイズとしてさらに設定することを特徴とする請求項１１または１２に記載の出力システム。
【請求項１４】
前記図面は地図を含むことを特徴とする請求項１乃至１３のいずれか１項に記載の出力システム。
【請求項１５】
前記詳細は、前記内容を示すテキストであることを特徴とする請求項１乃至１４のいずれか１項に記載の出力システム。
【請求項１６】
図面に対応する画像を出力装置に出力させる出力制御方法であって、
前記図面における所定の領域に対応する画像が出力される出力領域のサイズを設定する設定工程と、
出力装置に、前記図面における前記所定の領域に対応する前記画像を、前記設定工程において設定されたサイズに対応する出力領域へ出力させる出力制御工程と、を有し、
前記出力制御工程では、前記図面の前記所定の領域の内容を含む第１の画像を、前記設定工程において設定された第１のサイズに対応する出力領域に出力させ、前記設定工程において前記第１のサイズよりも大きな第２のサイズが設定された場合に、前記図面における出力対象の領域が前記所定の領域から変更されておらず且つ前記第１の画像には含まれていない前記内容の詳細を含む第２の画像を、前記第２のサイズに対応する出力領域に出力させることを特徴とする出力制御方法。
【請求項１７】
請求項１６に記載の出力制御方法をコンピュータに実行させるためのプログラム。
【手続補正２】
【補正対象書類名】明細書
【補正対象項目名】発明の名称
【補正方法】変更
【補正の内容】
【発明の名称】出力システム、出力制御方法、およびプログラム
【手続補正３】
【補正対象書類名】明細書
【補正対象項目名】０００１
【補正方法】変更
【補正の内容】
【０００１】
本発明は、図面に対応する画像を出力装置に出力させる出力システム、出力制御方法、およびプログラムに関する。
【手続補正４】
【補正対象書類名】明細書
【補正対象項目名】０００６
【補正方法】変更
【補正の内容】
【０００６】
そこで本発明は、出力領域のサイズに応じた内容を含む適切な図面に対応する画像を出力装置に出力させることができる出力システム、出力制御方法、およびプログラムを提供することを目的とする。
【手続補正５】
【補正対象書類名】明細書
【補正対象項目名】０００７
【補正方法】変更
【補正の内容】
【０００７】
上記のような課題を解決するために本発明の出力システムは、図面に対応する画像を出力装置に出力させる出力システムであって、前記図面における所定の領域に対応する画像が出力される出力領域のサイズを設定する設定手段と、出力装置に、前記図面における前記所定の領域に対応する前記画像を、前記設定手段により設定されたサイズに対応する出力領域へ出力させる出力制御手段と、を有し、前記出力制御手段は、前記図面の前記所定の領域の内容を含む第１の画像を、前記設定手段により設定された第１のサイズに対応する出力領域に出力させ、前記設定手段により前記第１のサイズよりも大きな第２のサイズが設定された場合に、前記図面における出力対象の領域が前記所定の領域から変更されておらず且つ前記第１の画像には含まれていない前記内容の詳細を含む第２の画像を、前記第２のサイズに対応する出力領域に出力させることを特徴とする。
【手続補正６】
【補正対象書類名】明細書
【補正対象項目名】０００８
【補正方法】変更
【補正の内容】
【０００８】
本発明によれば、出力領域のサイズに応じた内容を含む適切な図面に対応する画像を出力装置に出力させることができる。